(57)【要約】【課題】  通信キャリア事業者が異なった場合にユーザに知らせることができる移動機、通信管理装置およびキャリア情報更新方法を提供することを目的とする。【解決手段】  移動通信交換機２００において、問合せ部２０３または他網接続部２０４は、識別部２０２により識別された通信キャリア事業者に対してポートアウトの有無を問い合わせる。この問合せの結果に基づいてポートアウト判断部２０５が、接続先電話番号がポートアウトされていないと判断した場合には、識別部２０２により識別された通信キャリア事業者を示すキャリア情報を、付加部２０７が応答信号に付加し、送信部２０８はこの応答信号を移動機１００に送信することができる。これにより、通信相手の最新のキャリア情報を発信元の移動機１００に通知することができる。【選択図】  図５
2008244850.tif 000002
【特許請求の範囲】
【請求項１】
通信宛先の電話番号と当該通信宛先が属している通信キャリア事業者を示すキャリア情報とを記憶する記憶手段と、
前記通信宛先に対する発信時に、当該通信宛先に対応するキャリア情報を送信する送信手段と、
前記送信手段により送信されたキャリア情報に基づいて更新されたキャリア情報を受信する受信手段と、
前記受信手段によりキャリア情報が受信されると、受信されたキャリア情報に前記記憶手段に記憶されているキャリア情報を書き換える更新手段とを備える移動機。
【請求項２】
前記更新手段は、前記記憶手段に記憶されているキャリア情報と前記受信手段により受信されたキャリア情報とが一致していない場合に、前記記憶手段に記憶されているキャリア情報を前記受信手段により受信されたキャリア情報に書き換えることを特徴とする請求項１に記載の移動機。
【請求項３】
請求項１に記載の移動機に対して通信管理を行う通信管理装置において、
前記移動機から接続先電話番号とともに通信事業者を示すキャリア情報を受信する受信手段と、
前記受信手段により受信された接続先電話番号に基づいて、当該接続先電話番号の属する通信キャリア事業者を識別する識別手段と、
前記識別手段により識別された通信キャリア事業者に対してポートアウトの有無を問い合わせる問合せ手段と、
前記問合せ手段により前記接続先電話番号がポートアウトされていないと判断された場合には、前記識別手段により識別された通信キャリア事業者を示すキャリア情報を前記移動機に送信する送信手段と、を備える通信管理装置。
【請求項４】
前記送信手段は、前記接続先電話番号がポートアウトされていない場合に加えて、前記受信手段により受信されたキャリア情報により示される通信キャリア事業者と前記識別手段により識別された通信キャリア事業者とが一致しない場合には、前記識別手段により識別された通信キャリア事業者を示すキャリア情報を前記移動機に送信することを特徴とする請求項３に記載の通信管理装置。
【請求項５】
請求項１に記載の移動機に通信接続する通信管理装置において、
前記移動機から接続先電話番号とともに通信事業者を示すキャリア情報を受信する受信手段と、
前記受信手段により受信された接続先電話番号に基づいて、当該接続先電話番号の属する通信キャリア事業者を識別する識別手段と、
前記識別手段により識別された通信キャリア事業者に対してポートアウトの有無およびポートアウト先を問い合わせる問合せ手段と、
前記問合せ手段により前記接続先電話番号がポートアウトされたと判断された場合には、前記問合せ手段により取得されたポートアウト先を示すポートアウト先情報を前記移動機に送信する送信手段とを備える通信管理装置。
【請求項６】
前記送信手段は、前記接続先電話番号がポートアウトされた場合に加えて、前記受信手段により受信されたキャリア情報により示される通信キャリア事業者と前記問合せ手段により取得された通信キャリア事業者とが一致しない場合には、前記問合せ手段により取得された通信キャリア事業者を示すキャリア情報を前記移動機に送信することを特徴とする請求項５に記載の通信管理装置。
【請求項７】
通信宛先の電話番号と当該通信宛先が属している通信キャリア事業者を示すキャリア情報とを記憶する記憶手段を備える移動機に対するキャリア情報更新方法であって、
移動機が、前記通信宛先に対する発信時に、当該通信宛先に対応するキャリア情報を送信する移動機側送信ステップと、
通信管理装置が、前記移動機から接続先電話番号とともに通信キャリア事業者を示すキャリア情報を受信するネットワーク側受信ステップと、
通信管理装置が、前記ネットーク側受信ステップにより受信された接続先電話番号に基づいて、当該接続先電話番号の属する通信キャリア事業者を識別する識別ステップと、
通信管理装置が、識別ステップにおいて識別された通信キャリア事業者に対して、ポートアウトの有無を問い合わせる問合せステップと、
前記通信管理装置が、前記接続先電話番号がポートアウトされていないと判断した場合には、前記識別ステップにより識別された通信キャリア事業者を示すキャリア情報を前記移動機に送信するネットワーク側送信ステップと、
移動機が、前記ネットワーク側送信ステップにより送信されたキャリア情報を受信する移動機側受信ステップと、
移動機が、前記移動機側受信ステップによりキャリア情報が受信されると、前記記憶手段に記憶されているキャリア情報を更新する更新ステップとを備えるキャリア情報更新方法。
【請求項８】
通信宛先の電話番号と当該通信宛先が属している通信キャリア事業者を示すキャリア情報とを記憶する記憶手段を備える移動機に対するキャリア情報更新方法であって、
移動機が、前記通信宛先に対する発信時に、当該通信宛先に対応するキャリア情報を送信する移動機側送信ステップと、
通信管理装置が、前記移動機から接続先電話番号とともに通信事業者を示すキャリア情報を受信するネットワーク側受信ステップと、
通信管理装置が、前記ネットワーク側受信ステップにより受信された接続先電話番号に基づいて、当該接続先電話番号の属する通信キャリア事業者を識別する識別ステップと、
通信管理装置が、前記識別ステップにより識別された通信キャリア事業者に対してポートアウトの有無およびポートアウト先を問い合わせる問合せステップと、
通信管理装置が、前記接続先電話番号がポートアウトされたと判断した場合に、当該ポートアウト先の通信キャリア事業者を問い合わせ、通信キャリア事業者を示すキャリア情報を取得する問合せステップと、
通信管理装置が、前記接続先電話番号がポートアウトされた場合には、前記問合せステップにより取得された通信キャリア事業者を示すキャリア情報を前記移動機に送信するネットワーク側送信ステップと、
移動機が、前記ネットワーク側送信ステップにより送信されたキャリア情報を受信する移動機側受信ステップと、
移動機が、前記移動機側受信ステップによりキャリア情報が受信されると、前記記憶手段に記憶されているキャリア情報を更新する更新ステップとを備えるキャリア情報更新方法。
【発明の詳細な説明】
【技術分野】
【０００１】
本発明は、移動機、通信管理装置およびキャリア情報更新方法に関する。
【背景技術】
【０００２】
近年の携帯電話は、ユーザの使い勝手を考慮して、アドレス帳に宛先、電話番号を登録することで、電話番号を入力することなく発信処理を行うことができる（特許文献１参照）。
【特許文献１】特開２００６−４２３９７号公報
【発明の開示】
【発明が解決しようとする課題】
【０００３】
一般的に、携帯電話は、通信キャリア事業者により提供される移動通信網を利用して無線通信を行うことができるものである。具体的には、携帯電話のユーザは、複数ある通信キャリア事業者から一つを選び、その通信キャリア事業者と契約するとともに、その通信キャリア事業者による通信網を利用することができる携帯電話を購入し、通信キャリア事業者に加入者として登録することで当該通信網を利用した通信を行うことができる。この通信キャリア事業者は、通信キャリア事業者ごとに特性をもっており、その通信キャリア事業者を利用する携帯電話機同士でのみ特殊な通信を可能とし、また特殊なキャラクタコード（絵文字など）を送受信することを可能とする。
【０００４】
しかしながら、上記特許文献１に記載の技術においては、登録の対象として宛先、電話番号が登録されるのにとどまるものであり、特殊な通信を行うにあたっての使いやすさを考慮したものではなかった。
【０００５】
例えば、アドレス帳には宛先程度しか登録されておらずユーザは相手が利用する通信キャリア事業者を知らないため、使えない通信方式を選択してしまう場合が考えられる。また、特殊なキャラクタコードを使うことができるのにもかかわらず特殊なキャラクタコードを用いることなく通信を行ってしまう場合が考えられ、ユーザは通信相手にあった通信方式、キャラクタコードなどを適切に選択することができなかった。
【０００６】
これは、近年制定されたＭＮＰ（Mobile Number Portability）制度の下では、より顕著なものとなる。すなわち、通信キャリア事業者を越えて電話番号を持ち運びする、すなわち同じ電話番号を持ちつつ、通信キャリア事業者をかえることができるシステムのもとでは、以下の通り、上述の問題がより顕著なものとなると思われる。
【０００７】
例えば、ある一のユーザが、当該一のユーザが利用している通信キャリア事業者と同じ通信キャリア事業者を利用していると思われている他のユーザと、通信を行う場合がある。一方で、ＭＮＰ制度の利用により、その他のユーザの電話番号は変わっていないにもかかわらず、通信キャリア事業者が異なっている場合がある。この場合、一のユーザは、上述したとおり、特殊な通信方法または特殊なキャラクタコードを用いた通信を行うことができなくなる。
【０００８】
ＭＮＰ制度がない従来では、通信キャリア事業者を変えた場合には、必ず電話番号も変わることになっていたため、電話番号が変わったという連絡がユーザ同士で行われていることが想定されていたが、ＭＮＰ制度のもとでは、そのような連絡を期待することができず、上述の通りの不具合が生じることが想定されている。
【０００９】
そこで、本発明は、上述課題に鑑みて、通信キャリア事業者が異なった場合にユーザに知らせることができる移動機、通信管理装置およびキャリア情報更新方法を提供することを目的とする。
【課題を解決するための手段】
【００１０】
上述の課題を解決するために、本発明の移動機は、通信宛先の電話番号と当該通信宛先が属している通信キャリア事業者を示すキャリア情報とを記憶する記憶手段と、上記通信宛先に対する発信時に、当該通信宛先に対応するキャリア情報を送信する送信手段と、上記送信手段により送信されたキャリア情報に基づいて更新されたキャリア情報を受信する受信手段と、上記受信手段によりキャリア情報が受信されると、受信されたキャリア情報に上記記憶手段に記憶されているキャリア情報を書き換える更新手段とを備えている。
【００１１】
この発明によれば、通信宛先の電話番号と当該通信宛先が属している通信キャリア事業者を示すキャリア情報とを記憶しておき、通信宛先に対する発信時に、当該通信宛先に対応するキャリア情報を送信する。そして、送信されたキャリア情報に基づいて、例えばネットワーク側、交換機側で更新されたキャリア情報を受信し、キャリア情報が受信されると、受信されたキャリア情報に、記憶されているキャリア情報を書き換えることができる。これにより、移動機は常に新しいキャリア情報を取得しておくことができ、移動機のユーザは新しいキャリア情報を用いて通信相手にあった通信方式等を選択することができる。
【００１２】
また、本発明の移動機における上記更新手段は、上記記憶手段に記憶されているキャリア情報と上記受信手段により受信されたキャリア情報とが一致していない場合に、上記記憶手段に記憶されているキャリア情報を上記受信手段により受信されたキャリア情報に書き換えることを特徴とする。
【００１３】
この発明によれば、記憶されているキャリア情報と受信されたキャリア情報とが一致していない場合に記憶されているキャリア情報を受信されたキャリア情報に書き換えることができる。これにより、必要な場合にのみキャリア情報の更新処理を行うことができ効率のよい処理を行うことができる。
【００１４】
また、本発明の通信管理装置は、上記移動機に対して通信管理を行う通信管理装置において、上記移動機から接続先電話番号とともに通信事業者を示すキャリア情報を受信する受信手段と、上記受信手段により受信された接続先電話番号に基づいて、当該接続先電話番号の属する通信キャリア事業者を識別する識別手段と、上記識別手段により識別された通信キャリア事業者に対してポートアウトの有無を問い合わせる問合せ手段と、上記問合せ手段により上記接続先電話番号がポートアウトされていないと判断された場合には、上記識別手段により識別された通信キャリア事業者を示すキャリア情報を上記移動機に送信する送信手段と、を備えている。
【００１５】
この発明によれば、移動機から接続先電話番号とともに通信事業者を示すキャリア情報を受信し、受信された接続先電話番号に基づいて、当該接続先電話番号の属する通信キャリア事業者を識別する。そして、識別された通信キャリア事業者に対してポートアウトの有無を問い合わせ、接続先電話番号がポートアウトされていないと判断された場合には、識別された通信キャリア事業者を示すキャリア情報を移動機に送信することができる。これにより、通信相手の最新のキャリア情報を発信元の移動機に通知することができ、移動機のユーザは更新されたキャリア情報を用いて通信相手にあった通信方式等を選択することができる。
【００１６】
また、本発明の通信管理装置における上記送信手段は、上記接続先電話番号がポートアウトされていない場合に加えて、上記受信手段により受信されたキャリア情報により示される通信キャリア事業者と上記識別手段により識別された通信キャリア事業者とが一致しない場合には、上記識別手段により識別された通信キャリア事業者を示すキャリア情報を上記移動機に送信することを特徴とする。
【００１７】
この発明によれば、受信されたキャリア情報により示される通信キャリア事業者と識別された通信キャリア事業者とが一致しない場合には、識別された通信キャリア事業者を示すキャリア情報を発信元の移動機に送信することができ、通信相手の最新のキャリア情報を発信元の移動機に通知することができる。
【００１８】
また、本発明の通信管理装置は、上記移動機に通信接続する通信管理装置において、上記移動機から接続先電話番号とともに通信事業者を示すキャリア情報を受信する受信手段と、上記受信手段により受信された接続先電話番号に基づいて、当該接続先電話番号の属する通信キャリア事業者を識別する識別手段と、上記識別手段により識別された通信キャリア事業者に対してポートアウトの有無およびポートアウト先を問い合わせる問合せ手段と、上記問合せ手段により上記接続先電話番号がポートアウトされたと判断された場合には、上記問合せ手段により取得されたポートアウト先を示すポートアウト先情報を上記移動機に送信する送信手段とを備えている。
【００１９】
この発明によれば、発信元の移動機から接続先電話番号とともに通信事業者を示すキャリア情報を受信し、受信された接続先電話番号に基づいて、当該接続先電話番号の属する通信キャリア事業者を識別することができる。そして、識別された通信キャリア事業者に対してポートアウトの有無およびポートアウト先を問い合わせ、接続先電話番号がポートアウトされたと判断された場合には、取得されたポートアウト先を示すポートアウト先情報を移動機に送信することができる。これにより、通信相手の最新のキャリア情報を発信元の移動機に通知することができ、移動機のユーザは更新されたキャリア情報を用いて通信相手にあった通信方式等を選択することができる。
【００２０】
また、本発明の通信管理装置における上記送信手段は、上記接続先電話番号がポートアウトされた場合に加えて、上記受信手段により受信されたキャリア情報により示される通信キャリア事業者と上記問合せ手段により取得された通信キャリア事業者とが一致しない場合には、上記問合せ手段により取得された通信キャリア事業者を示すキャリア情報を上記移動機に送信することを特徴とする。
【００２１】
この発明によれば、受信されたキャリア情報により示される通信キャリア事業者と取得された通信キャリア事業者とが一致しない場合には、取得された通信キャリア事業者を示すキャリア情報を移動機に送信することができ、通信相手の最新のキャリア情報を発信元の移動機に通知することができる。
【００２２】
また、本発明は、上記のように移動機、および通信管理装置の発明として記述できる他に、以下のようにキャリア情報更新方法の発明としても記述することができる。これはカテゴリが異なるだけで、実質的に同一の発明であり、同様の作用及び効果を奏する。
【００２３】
本発明のキャリア情報更新方法は、通信宛先の電話番号と当該通信宛先が属している通信キャリア事業者を示すキャリア情報とを記憶する記憶手段を備える移動機に対するキャリア情報更新方法であって、移動機が、上記通信宛先に対する発信時に、当該通信宛先に対応するキャリア情報を送信する移動機側送信ステップと、通信管理装置が、上記移動機から接続先電話番号とともに通信キャリア事業者を示すキャリア情報を受信するネットワーク側受信ステップと、通信管理装置が、上記ネットーク側受信ステップにより受信された接続先電話番号に基づいて、当該接続先電話番号の属する通信キャリア事業者を識別する識別ステップと、通信管理装置が、識別ステップにおいて識別された通信キャリア事業者に対して、ポートアウトの有無を問い合わせる問合せステップと、上記通信管理装置が、上記接続先電話番号がポートアウトされていないと判断した場合には、上記識別ステップにより識別された通信キャリア事業者を示すキャリア情報を上記移動機に送信するネットワーク側送信ステップと、移動機が、上記ネットワーク側送信ステップにより送信されたキャリア情報を受信する移動機側受信ステップと、移動機が、上記移動機側受信ステップによりキャリア情報が受信されると、上記記憶手段に記憶されているキャリア情報を更新する更新ステップとを備えている。
【００２４】
また、本発明のキャリア情報更新方法は、通信宛先の電話番号と当該通信宛先が属している通信キャリア事業者を示すキャリア情報とを記憶する記憶手段を備える移動機に対するキャリア情報更新方法であって、移動機が、上記通信宛先に対する発信時に、当該通信宛先に対応するキャリア情報を送信する移動機側送信ステップと、通信管理装置が、上記移動機から接続先電話番号とともに通信事業者を示すキャリア情報を受信するネットワーク側受信ステップと、通信管理装置が、上記ネットワーク側受信ステップにより受信された接続先電話番号に基づいて、当該接続先電話番号の属する通信キャリア事業者を識別する識別ステップと、通信管理装置が、上記識別ステップにより識別された通信キャリア事業者に対してポートアウトの有無およびポートアウト先を問い合わせる問合せステップと、通信管理装置が、上記接続先電話番号がポートアウトされたと判断した場合に、当該ポートアウト先の通信キャリア事業者を問い合わせ、通信キャリア事業者を示すキャリア情報を取得する問合せステップと、通信管理装置が、上記接続先電話番号がポートアウトされた場合には、上記問合せステップにより取得された通信キャリア事業者を示すキャリア情報を上記移動機に送信するネットワーク側送信ステップと、移動機が、上記ネットワーク側送信ステップにより送信されたキャリア情報を受信する移動機側受信ステップと、移動機が、上記移動機側受信ステップによりキャリア情報が受信されると、上記記憶手段に記憶されているキャリア情報を更新する更新ステップとを備えている。
【発明の効果】
【００２５】
本発明は、移動機において常に新しいキャリア情報を取得しておくことができ、移動機のユーザは新しいキャリア情報を用いて通信相手にあった通信方式等を選択することができる。
【発明を実施するための最良の形態】
【００２６】
本発明は、一実施形態のために示された添付図面を参照して以下の詳細な記述を考慮することによって容易に理解することができる。引き続いて、添付図面を参照しながら本発明の実施形態を説明する。可能な場合には、同一の部分には同一の符号を付して、重複する説明を省略する。
【００２７】
図１は、本実施形態における移動機１００および移動通信交換機２００を用いた通信システムを示すシステム構成図である。図１に示すように、この通信システムは、移動機１００、ＢＴＳ（Base Transceiver Station：無線基地局）１５１、ＲＮＣ（Radio Network Controller：無線制御装置）１５２、移動通信交換機２００、在圏情報記憶装置３０１、および他網交換機３０２を含んで構成されている。
【００２８】
移動機１００は、例えば携帯電話であって、ＢＴＳ１５１、ＲＮＣ１５２を介して無線通信を行うものである。
【００２９】
移動通信交換機２００は、ＢＴＳ１５１、ＲＮＣ１５２を介して移動機１００からの通信を他の通信端末と接続するための通信管理装置であり、本実施形態では、ＶＬＲ（Visited Located Register：在圏情報記憶装置）、ＭＳＣ（移動通信交換装置：Mobile SwitchingCenter）を含んだものとなっている。この移動通信交換機２００は、移動機１００からの通信接続要求に応じて、在圏情報記憶装置３０１に問合せを行い、通信接続要求先が自網を利用する移動機であるか、他網を利用する移動機であるかを取得する。そして、移動通信交換機２００は、通信接続要求先が自網を利用する移動機である場合には、その相手に対して通信接続を行う。また、移動通信交換機２００は、通信接続要求先が他網を利用する移動機である場合には、他網交換機３０２と通信接続する。他網交換機３０２は、その通信接続要求に応じて通信接続処理を行う。
【００３０】
ここで、本実施形態の在圏情報記憶装置３０１は、移動機１００に関する加入者情報を記憶する装置であって、電話番号、ユーザＩＤなどの加入者情報を記憶するほか、当該移動機１００の在圏情報を記憶する装置であり、ＨＬＲ（Home Located Register：在圏情報記憶装置）、ｇｓｍＳＣＦ（Service Control Function：サービス制御機能部）から構成されたものとなっている。
【００３１】
このように構成された通信システムにおける移動機１００の構成について、図２を用いて説明する。図２は、移動機１００の機能を示すブロック図である。この移動機１００は、記憶部１０１（記憶手段）、送信部１０２（送信手段）、表示部１０３、受信部１０４（受信手段）、および更新部１０５（更新手段）を含んで構成されている。以下、各構成について説明する。
【００３２】
記憶部１０１は、アドレス帳を記憶する部分であり、宛先名、電話番号、および当該電話番号の通信キャリア事業者を記憶する部分である。例えば、記憶部１０１は、図４に示すような情報が記憶されている。図４は、記憶部１０１に記憶されている情報を示す概要図であり、例えば記憶部１０１は、宛先を示す名前、宛先の電話番号、宛先で使用されている通信キャリア事業者を示すキャリア情報を対応付けて記憶している。
【００３３】
送信部１０２は、発信信号、音声信号、およびデータ信号などを通信網に向けて送信する部分であり、発信時に宛先の電話番号を含んだ発信信号とともに、通信キャリア事業者を示すキャリア情報を送信する。
【００３４】
表示部１０３は、記憶部１０１に記憶されているアドレス帳である、宛先名、電話番号および通信キャリア事業者を表示する部分であり、ユーザの操作により発信しようとするときにアドレス帳を表示することができる。
【００３５】
受信部１０４は、変更後のキャリア情報およびキャリア情報が変更された電話番号を含んだ応答信号を移動通信交換機２００から受信する部分である。具体的には、発信時に送信部１０２により送信されたキャリア情報に基づいて移動通信交換機２００は、この発信先の電話番号の通信キャリア事業者に変更があった場合には、その変更後の通信キャリア事業者を示すキャリア情報を取得しまたは判断し、そのキャリア情報とその変更対象となる電話番号とを含んだ応答信号を移動通信交換機２００から受信する。
【００３６】
更新部１０５は、受信部１０４にて受信された応答信号にキャリア情報が含まれているか否かを判断し、含まれている場合には、記憶部１０１に記憶されているキャリア情報を、受信部１０４により受信された変更後のキャリア情報に書き換える部分であり、受信部１０４により受信された電話番号に一致する電話番号であって、記憶部１０１に記憶されている電話番号を抽出し、その電話番号に対応するキャリア情報を、受信した変更後のキャリア情報に書き換える部分である。
【００３７】
なお、後述する変形例にもあるように、この更新部１０５は、キャリア情報を受信すると、そのキャリア情報に変更があった場合にのみ書換え処理を行うようにしても良い。また、本実施形態ではキャリア情報の有無を判断しているが、後述する変形例で示すように応答信号にキャリア情報が含まれていることを前提に、更新部１０５は受信したキャリア情報をすべて更新するようにしてもよい。
【００３８】
この移動機１００は、図３に示すハードウェアにより実現される。図３は、移動機１００のハードウェア構成図である。移動機１００は、物理的には、図３に示すように、ＣＰＵ１１、主記憶装置であるＲＡＭ１２及びＲＯＭ１３、無線通信を行うための無線通信モジュール１４、入力デバイスである操作部１５、ディスプレイ１６、フラッシュメモリ１７などを含む携帯電話として構成されている。図２において説明した各機能は、図３に示すＣＰＵ１１、ＲＡＭ１２等のハードウェア上に所定のコンピュータソフトウェアを読み込ませることにより、ＣＰＵ１１の制御のもとで無線通信モジュール１４、操作部１５、ディスプレイ１６を動作させるとともに、ＲＡＭ１２、フラッシュメモリ１７のデータの読み出し及び書き込みを行うことで実現される。
【００３９】
このように記憶部１０１において、少なくとも電話番号とキャリア情報とを記憶しておき、通信キャリア事業者が変わった場合には、更新部１０５により、記憶部１０１に記憶されているキャリア情報が変更されることになる。このため、ユーザはそのキャリア情報を見て、その通信キャリア事業者特有の通信方法または特殊なキャラクタコード（絵文字など）を送ることができるか否かを判断することができる。すなわち、ユーザは、他の通信キャリア事業者であるがために通信できない通信方法または特殊なキャラクタコードを送信することなく、使い勝手のよい移動機１００を実現することができる。
【００４０】
つぎに、この移動機１００に記憶されているキャリア情報に変更があった場合に、その変更されたキャリア情報を取得しまたはキャリア情報を電話番号から判断することができる移動通信交換機２００について説明する。
【００４１】
図５は、移動通信交換機２００の構成を示すブロック図である。図５に示すとおり、移動通信交換機２００は、受信部２０１（受信手段）、識別部２０２（識別手段）、問合せ部２０３（問合せ手段）、他網接続部２０４（問合せ手段）、ポートアウト判断部２０５、キャリア情報判断部２０６、付加部２０７、および送信部２０８（送信手段）を含んで構成されている。以下、各構成について説明する。
【００４２】
受信部２０１は、移動機１００からの発信信号に含まれる電話番号およびそのキャリア情報を受信する部分である。
【００４３】
識別部２０２は、受信部２０１により受信された電話番号に基づいて、通信キャリア事業者を識別する部分である。電話番号は通信キャリア事業者ごとに割り当てられており、電話番号の一部の数字に基づいて通信キャリア事業者に割り当てられた電話番号であるかを判断することができる。例えば、０９０−５○○○−××××という電話番号であれば、“５”の部分を認識して、その電話番号はＡ社の通信キャリア事業者であると判断することができる。識別部２０２は、電話番号に基づいて自社の電話番号であるか、他社の電話番号であるかを識別し、その旨を問合せ部２０３または他網接続部２０４に出力する。
【００４４】
問合せ部２０３は、識別部２０２から出力された通信キャリア事業者を示す情報に基づいて、発信信号に含まれている電話番号が自社の電話番号であると判断した場合には、自社の加入者を管理する在圏情報記憶装置３０１に、当該電話番号を有する携帯電話がどこに在圏しているかを示す在圏情報、またはＭＮＰにより他社の通信キャリア事業者に移行した場合（いわゆるポートアウト、以下ポートアウトと称する）には、その移行先（すなわちポートアウト先）を問い合わせる。問合せ部２０３は、問い合わせに対する応答信号として在圏情報またはポートアウト先情報を取得し、これら情報をポートアウト判断部２０５に出力する。このような動作により問合せ部２０３は、ポートアウトの有無およびポートアウト先を問い合わせることができる。
【００４５】
他網接続部２０４は、識別部２０２からの通信キャリア事業者を示す情報に基づいて、発信信号に含まれている電話番号が他社の電話番号であると判断した場合には、当該他社の加入者を管理する他網交換機３０２に対して通信接続処理を行う。ここで、他網交換機３０２では、宛先の電話番号に基づき在圏情報またはポートアウトの確認が行われ、ポートアウトしている場合には応答信号としてポートアウト先情報が移動通信交換機２００に対して送信される。また、ポートアウトしていない場合には、通信接続処理が行われ、接続している旨の応答信号が送信される。他網接続部２０４は、これら応答信号をポートアウト判断部２０５に出力する。このようにして他網接続部２０４は、ポートアウトの有無およびポートアウト先を問い合わせることができる。
【００４６】
ポートアウト判断部２０５は、問合せ部２０３または他網接続部２０４から出力された応答信号に基づいて、移動機１００から発信しようとした電話番号がポートアウトされたものか否かを判断する。具体的には、ポートアウト判断部２０５は、問合せ部２０３または他網接続部２０４から出力された情報にポートアウト先情報が含まれている場合には、ポートアウトしたと判断し、ポートアウト先情報が含まれておらず、在圏情報としてまたは他網への接続に対する応答として応答信号のみを受信した場合には、移動機１００から発信しようとした電話番号はポートアウトしていないと判断する。ポートアウト判断部２０５は、これら判断結果およびキャリア情報をキャリア情報判断部２０６に出力する。
【００４７】
キャリア情報判断部２０６は、ポートアウト判断部２０５によりポートアウトしていないと判断された場合には、受信部２０１により受信されたキャリア情報と識別部２０２により識別されたキャリア情報とを比較する。ここで一致しない場合には付加部２０７において識別されたキャリア情報を応答信号に付加させる指示を行う。また、一致する場合には、付加部２０７に対して何ら指示はしない。
【００４８】
また、キャリア情報判断部２０６は、ポートアウト判断部２０５によりポートアウトしたと判断された場合には、受信部２０１により受信されたキャリア情報と問合せ部２０３または他網接続部２０４にて取得されたキャリア情報とを比較する。ここで一致しない場合には、付加部２０７において問合せ部２０３または他網接続部２０４にて取得されたキャリア情報を応答信号に付加させる指示を行う。また、一致する場合には、付加部２０７に対して何ら指示はしない。
【００４９】
付加部２０７は、キャリア情報判断部２０６からの指示に応じて応答信号にキャリア情報を付加し、送信部２０８は、付加部２０７にてキャリア情報が付加された応答信号を送信し、またはキャリア情報が付加されてない応答信号を送信する。
【００５０】
このように移動通信交換機２００は、在圏情報記憶装置３０１または他網交換機３０２からポートアウトの有無を取得し、ポートアウトの有無に応じて、移動機１００に記憶されているキャリア情報を更新するための情報を付加した応答信号、または付加しない応答信号を移動機１００に送信することができる。移動機１００ではこの応答信号に含まれているキャリア情報に基づいて、その更新処理を行うことができる。
【００５１】
つぎに、本実施形態の移動機１００および移動通信交換機２００におけるキャリア情報を取得するときの動作について説明する。図６は、移動機１００および移動通信交換機２００の動作を示すシーケンス図である。
【００５２】
まず、移動機１００において、発信処理が行われ、キャリア情報および発信先である電話番号を含んだ発信信号が移動通信交換機２００に送信される（Ｓ１０１）。移動通信交換機２００では、発信信号に含まれているキャリア情報が抽出され、予め定められた記憶部（図示せず）に記憶される（Ｓ１０２）。そして、移動通信交換機２００の識別部２０２により、接続先電話番号に基づいて、発信先の通信キャリア事業者が判断される（Ｓ１０３）。
【００５３】
ここで自社である判断された場合には、問合せ部２０３により接続先電話番号のユーザの在圏情報の問合せが在圏情報記憶装置３０１に対して行われる（Ｓ１０４）。在圏情報記憶装置３０１では、接続先電話番号に基づいて、当該電話番号のユーザの在圏情報またはポートアウトしていたらポートアウト先情報が取得され（Ｓ１０５）、それぞれ問い合わせに対する応答信号に含めて返信される（Ｓ１０６）。移動通信交換機２００では、移動機１００とその通信相手との通信接続処理が行われるとともに、移動機１００に対して、以下詳述するようなキャリア情報を通知するための応答処理が行われる。
【００５４】
また、Ｓ１０３において、接続先電話番号により通信キャリア事業者が他社であると判断された場合には、他網接続部２０４により当該事業者の交換機に対して接続信号が送信され、在圏情報またはポートアウトしていたならばポートアウト先情報の問合せが行われる（Ｓ１０７）。他網交換機３０２では、その問い合わせに基づいてその在圏情報またはポートアウト先情報が取得される。
【００５５】
ここで、在圏情報記憶装置３０１および他網交換機３０２の動作についてそれぞれ図７および８を用いて説明する。図７は、在圏情報記憶装置３０１の動作を示すフローチャートである。
【００５６】
在圏情報記憶装置３０１では、接続先電話番号に基づいてポートアウトしたか否かが判断される（Ｓ１０５ａ）。ポートアウトしたと判断された場合、ポートアウト先の通信キャリア事業者情報（ポートアウト先情報）が抽出され（Ｓ１０５ｂ）、ポートアウト先情報が応答信号に含めて送信される（Ｓ１０５ｃ）。
【００５７】
また、ポートアウトしていないと判断された場合、接続先電話番号のユーザの在圏情報が取得され、応答信号に含めて送信される（Ｓ１０５ｄ）。
【００５８】
図８は、他網交換機３０２の動作を示すフローチャートである。他網交換機３０２において、接続先電話番号に基づいてポートアウトしたか否かが判断される（Ｓ１０８ａ）。ポートアウトしたと判断された場合には、ポートアウト先情報が抽出され（Ｓ１０８ｂ）、移動通信交換機２００に対して、ポートアウト先情報を含んだ応答信号が送信される（Ｓ１０８ｃ）。
【００５９】
また、ポートアウトしていないと判断された場合には、そのまま通信接続処理が行われ、宛先である通信端末と通信接続処理を行い（Ｓ１０８ｄ）、その通信接続処理結果が取得され（Ｓ１０８ｅ）、この結果を含んだ応答信号が移動通信交換機２００に送信される（Ｓ１０８ｆ）。
【００６０】
以上の通り、在圏情報記憶装置３０１および他網交換機３０２においてそれぞれ在圏情報またはポートアウト先情報が取得され、移動通信交換機２００に送信される。
【００６１】
つぎに、移動通信交換機２００がキャリア情報を取得し、その後、移動機１００に対してキャリア情報を含んだ応答信号を送信するときの動作について説明する。図９は、移動通信交換機２００における、在圏情報記憶装置３０１から取得したキャリア情報を応答信号に付加するときの動作を示すフローチャートである。
【００６２】
まず、図６におけるＳ１０９において、ポートアウト先情報が含んだ応答信号が受信されたか否かが、移動通信交換機２００のポートアウト判断部２０５により判断される（Ｓ２０１）。すなわち、移動機１００が発信しようとした発信先の電話番号がポートアウトしたか否かが判断される。ここで、応答信号にポートアウト先情報が含まれている場合にはポートアウトしたと判断され、Ｓ１０２において取得され、記憶されたキャリア情報とＳ１０９において受信された応答信号に含まれているキャリア情報とが、キャリア情報判断部２０６により比較される（Ｓ２０２）。
【００６３】
ここで、両者のキャリア情報が一致していないと判断された場合には、Ｓ１０９において受信された応答信号に含まれているキャリア情報が移動機１００の通信接続要求に対する応答信号に、付加部２０７により付加され（Ｓ２０３）、キャリア情報が付加された応答信号が送信される（Ｓ２０６）。また、両者のキャリア情報が一致すると判断された場合には、何も処理されることはなく、移動機１００の通信接続要求に対する応答信号（キャリア情報は付加されず）が送信される（Ｓ２０６）。
【００６４】
また、Ｓ２０１において、ポートアウト先情報が応答信号に含まれていない場合にはポートアウトしていないと判断され、Ｓ１０２において取得され記憶されたキャリア情報と、識別部２０２により接続先電話番号に基づいて判断された通信キャリア事業者を示すキャリア情報とが一致するか否かが、キャリア情報判断部２０６により判断される（Ｓ２０４）。
【００６５】
ここで、一致しないと判断された場合には、識別部２０２により判断されたキャリア情報が、移動機１００の通信接続要求に対する応答信号に付加され（Ｓ２０５）、キャリア情報が付加された応答信号が送信される（Ｓ２０６）。また、一致すると判断された場合には、何も処理されることなく、移動機１００に対する応答信号（キャリア情報は付加されない）が送信される（Ｓ２０６）。
【００６６】
同様にして、在圏情報記憶装置３０１からポートアウト先情報を含んだ応答信号が受信された場合に、移動機１００の通信接続要求に対する応答信号にキャリア情報が付加されて処理される。図１０は、その具体的動作を示すフローチャートであり、移動通信交換機２００において、在圏情報記憶装置３０１からポートアウト先情報を含んだ応答信号が受信された場合に、移動機１００の通信接続要求に対する応答信号にキャリア情報を付加するときの動作を示すフローチャートである。
【００６７】
まず、図６におけるＳ１０６において、ポートアウト先情報が含んだ応答信号が受信されたか否かが、移動通信交換機２００のポートアウト判断部２０５により判断される（Ｓ３０１）。すなわち、移動機１００が発信しようとした発信先の電話番号がポートアウトしたか否かが判断される。ここで、応答信号にポートアウト先情報が含まれている場合にはポートアウトしたと判断され、Ｓ１０２において取得され記憶されたキャリア情報とＳ１０６において受信された応答信号に含まれているキャリア情報とが、キャリア情報判断部２０６により比較される（Ｓ３０２）。
【００６８】
ここで、両者のキャリア情報が一致していないと判断された場合には、Ｓ１０６において受信された応答信号に含まれているキャリア情報が移動機１００の通信接続要求に対する応答信号に、付加部２０７により付加され（Ｓ３０３）、キャリア情報が付加された応答信号が送信される（Ｓ２０６）。また、両者のキャリア情報が一致すると判断された場合には、何も処理されることはなく、移動機１００の通信接続要求に対する応答信号（キャリア情報は付加されず）が送信される（Ｓ２０６）。
【００６９】
また、Ｓ３０１において、ポートアウト先情報が応答信号に含まれていない場合にはポートアウトしていないと判断され、Ｓ１０２において取得され記憶されたキャリア情報と、識別部２０２により接続先電話番号に基づいて判断された通信キャリア事業者を示すキャリア情報とが一致するか否かが、キャリア情報判断部２０６により判断される（Ｓ３０４）。
【００７０】
ここで、一致しないと判断された場合には、識別部２０２により判断されたキャリア情報、すなわち自社であることを示すキャリア情報が、移動機１００の通信接続要求に対する応答信号に付加され（Ｓ３０５）、キャリア情報が付加された応答信号が送信される（Ｓ３０６）。また、一致すると判断された場合には、何も処理されることなく、移動機１００に対する応答信号（キャリア情報は付加されない）が送信される（Ｓ２０６）。
【００７１】
以上の通り、移動通信交換機２００は、移動機１００が発信しようとした接続先電話番号がポートアウトした場合には、そのポートアウト先の通信キャリア事業者を示すキャリア情報を取得し、移動機１００の通信接続要求に対する応答信号にキャリア情報を付加して、送信することができる。
【００７２】
つぎに、このようにキャリア情報が付加された応答信号を受信する移動機１００の動作について説明する。図１１は、移動機１００のキャリア情報を更新するときの動作を示すフローチャートである。
【００７３】
図９および図１０にて説明した動作により、移動通信交換機２００からキャリア情報が含んだまたは含まない応答信号が、移動機１００の受信部１０４により受信される。移動機１００の更新部１０５により、受信された応答信号にキャリア情報が含まれているか否かが判断される（Ｓ４０１）。そして、キャリア情報が含まれていると判断された場合には、記憶部１０１に記憶されているアドレス帳のキャリア情報が更新部１０５により更新される。具体的には、応答信号に含まれている電話番号と一致する電話番号がアドレス帳において検索され、その電話番号に対応するキャリア情報が、応答信号に含まれているキャリア情報に書き換えられる（Ｓ４０２）。そして、表示部１０３に、更新されたキャリア情報が表示される（Ｓ４０３）。
【００７４】
以上の通り、移動機１００は移動通信交換機２００からキャリア情報を取得した場合には、そのキャリア情報にそのアドレス帳に記述されているキャリア情報を書き換えることができ、常に新しいキャリア情報を記憶しておくことができる。
【００７５】
つぎに、上述の移動機１００の動作の概要について説明する。図１２は、移動機１００の表示部１０３に表示される画面の具体例を示す図である。図１２（ａ）は、アドレス帳（電話帳）の具体例を示す図であり、名前、電話番号、キャリア情報がそれぞれ対応付けて表示されている。ユーザは、このアドレス帳を見ながら、発信先を選択することができ、キャリア情報を確認することで、その通信キャリア事業者特有の通信方法または特殊なキャラクタコードを用いた通信を行うことができる。
【００７６】
図１２（ｂ）は、発信処理を行うときの画面の具体例であり、図６におけるＳ１０１の発信信号を送信しているときに表示される画面の具体例である。この画面で表されているように、発信中である旨を表示するとともに、宛先名、使用する通信キャリア事業者が表示されている。
【００７７】
図１２（ｃ）は、通話をしているときの画面を示す具体例であり、ここでは、移動通信交換機２００からキャリア情報を受信したこと、およびキャリア情報が更新されたことが示されている。図１１におけるＳ４０３において表示される画面である。変更前のキャリア情報および変更後のキャリア情報が表示されている。
【００７８】
図１２（ｄ）は、更新後のアドレス帳を示す画面を示す具体例である。宛先であるＡさんの通信キャリア事業者は、キャリアａからキャリアｂに変更されている。
【００７９】
つぎに、本実施形態の移動機１００および移動通信交換機２００の変形例について説明する。移動機１００の構成は、図２の通りであるが、更新部１０５は、記憶部１０１に記憶されているキャリア情報と、受信部１０４により受信され取得されたキャリア情報との一致を判断し、不一致である場合にのみキャリア情報を書き換えるように動作する点で、上述の実施形態と相違する。
【００８０】
つぎに、この変形例の移動通信交換機２００ａの構成について説明する。図１３は、変形例である移動通信交換機２００ａの機能を示すブロック図である。図１３に示すように、変形例の移動通信交換機２００ａは、受信部２０１（受信手段）、識別部２０２、問合せ部２０３（問合せ手段）、他網接続部２０４（問合せ手段）、ポートアウト判断部２０５、付加部２０７ａ、送信部２０８ａ（送信手段）を含んで構成されている。移動通信交換機２００と比較して、キャリア情報判断部２０６を備えておらず、すべての応答信号に対してキャリア情報を付加する点にあり、他の構成について移動通信交換機２００の各構成と同じである。この相違によって、付加部２０７ａは以下の通りに構成されることになる。
【００８１】
付加部２０７ａは、ポートアウト判断部２０５における判断結果に基づいて識別部２０２において識別されたキャリア情報を付加するか、または他網接続部２０４若しくは問合せ部２０３により取得されたキャリア情報を付加するかを判断し、いずれかで取得されたキャリア情報を、移動機１００からの接続要求に対する応答信号に付加する部分である。
【００８２】
具体的には、付加部２０７ａは、ポートアウトしたと判断した場合には、他網接続部２０４若しくは問合せ部２０３により取得されたキャリア情報を応答信号に付加する。また、付加部２０７ａは、ポートアウトしていないと判断した場合には、識別部２０２において識別されたキャリア情報を応答信号に付加する。送信部２０８ａは、付加された応答信号を移動機１００に送信する。
【００８３】
つぎにこれら変形例の移動機１００および移動通信交換機２００ａの動作について説明する。図１４は、キャリア情報を付加するときの移動通信交換機２００ａの動作を示すフローチャートである。なお、上述の実施形態における図６で示される処理が行われた後に、図１４に示される処理が行われることになる。
【００８４】
まず、移動通信交換機２００ａにおいて、他網交換機３０２に対してポートアウト先情報または在圏情報を含んだ応答信号が他網接続部２０４により取得され（Ｓ１０９）、ポートアウト判断部２０５により、応答信号にポートアウト先が含まれているか否かが判断される。そして、この判断に基づいてポートアウトされたか否かが判断される（Ｓ５０１）。そして、ポートアウトされていないと判断された場合には、識別部２０２により接続先電話番号に基づいて判断された通信キャリア事業者を示すキャリア情報が、付加部２０７ａにより応答信号に付加される（Ｓ５０２）。そして、キャリア情報が付加された応答信号は、送信部２０８ａにより移動機１００に送信される（Ｓ５０４）。
【００８５】
また、ポートアウト判断部２０５によりポートアウトされたと判断された場合には、他網接続部２０４により取得されたキャリア情報が、付加部２０７ａにより応答信号に付加される（Ｓ５０３）。そして、キャリア情報が付加された応答信号は、送信部２０８ａにより移動機１００に送信される（Ｓ５０４）。
【００８６】
また、Ｓ１０６において問合せ部２０３により在圏情報記憶装置３０１から応答信号が受信され、ポートアウト先または在圏情報が取得され、ポートアウト判断部２０５によりその応答信号にポートアウト先が含まれているか否かが判断される。この判断に基づいて、ポートアウトがされたか否かがポートアウト判断部２０５により判断される（Ｓ５０５）。
【００８７】
ここで、ポートアウトされていないと判断された場合には、接続先電話番号に基づいて判断された通信キャリア事業者、すなわち通信キャリア事業者は自社であることを示す情報が、付加部２０７ａにより応答信号に付加され（Ｓ５０６）、送信部２０８ａによりこの応答信号が送信される（Ｓ５０４）。また、ポートアウトされたと判断された場合には、問合せ部２０３により取得された通信キャリア事業者を示すキャリア情報が、付加部２０７ａにより応答信号に付加され（Ｓ５０７）、この応答信号が送信される（Ｓ５０４）。
【００８８】
この変形例においては、移動通信交換機２００ａは、ポートアウトしていてもいなくても、取得したキャリア情報または識別したキャリア情報を応答信号に付加する処理を行っている。
【００８９】
つぎに、この移動通信交換機２００ａから送信されたキャリア情報を含んだ応答信号を受信する変形例における移動機１００の動作について説明する。図１５は、この変形例の移動機１００の動作を示すフローチャートである。
【００９０】
まず、移動機１００においては、移動通信交換機２００ａから受信されたキャリア情報とアドレス帳に含まれているキャリア情報とが一致するか否かが、更新部１０５により判断される（Ｓ６０１）。この更新部１０５では、移動通信交換機２００ａからの応答信号に含まれているキャリア情報と対応付けて送られてくる電話番号が、記憶部１０１のアドレス帳に含まれているか否かが判断される。そして、その電話番号が含まれている、すなわち一致する電話番号があると判断される場合には、その電話番号に対応するキャリア情報が抽出され、その抽出されたキャリア情報と、移動通信交換機２００ａから受信されたキャリア情報とが比較される。
【００９１】
そして、一致していないと判断された場合には、記憶部１０１に記憶されているキャリア情報は、更新部１０５により取得されたキャリア情報に書き換えられ（Ｓ６０２）、書き換えられたキャリア情報が表示部１０３に表示される（Ｓ６０３）。
【００９２】
以上の変形例によると、移動機１００側でキャリア情報の更新の有無を判断し、必要に応じてキャリア情報を更新することができる。
【００９３】
なお、移動機１００においては、さらに変形例が考えられ、例えば図１６に示すように、移動機１００においてキャリア情報が受信されると、アドレス帳におけるキャリア情報の一致不一致を判断することなく、アドレス帳の該当するキャリア情報は、更新部１０５により、受信されたキャリア情報に書き換えられ（Ｓ７０１）、そのキャリア情報が表示部１０３に表示される（Ｓ７０２）。
【００９４】
この変形例によるとキャリア情報を受信するとすべて書き換える処理を行うっているため、判断処理を不要とし、処理内容を簡易なものにすることができる。
【００９５】
つぎに、本実施形態の移動機１００および移動通信交換機２００（または移動通信交換機２００ａ）の作用効果を説明する。
【００９６】
移動機１００は、通信宛先の電話番号と当該通信宛先が属している通信キャリア事業者を示すキャリア情報とを記憶部１０１に記憶している。そして、送信部１０２は、通信宛先に対する発信時に、当該通信宛先に対応するキャリア情報を送信する。受信部１０４は、例えばネットワーク側、交換機側などの移動通信交換機２００（または移動通信交換機２００ａ）で、送信されたキャリア情報に基づいて更新されたキャリア情報を受信する。キャリア情報が受信されると、更新部１０５は、記憶部１０１に記憶されているキャリア情報を、受信されたキャリア情報に書き換えることができる。これにより、移動機１００は常に新しいキャリア情報を取得しておくことができ、移動機１００のユーザは新しいキャリア情報を用いて通信相手にあった通信方式等を選択することができる。
【００９７】
この移動機１００における更新部１０５は、記憶部１０１に記憶されているキャリア情報と受信部１０４により受信されたキャリア情報とが一致していない場合に、記憶部１０１に記憶されているキャリア情報を受信されたキャリア情報に書き換えることができる。これにより、必要な場合にのみキャリア情報の更新処理を行うことができ効率のよい処理を行うことができる。
【００９８】
また、本実施形態の移動通信交換機２００（または移動通信交換機２００ａ）の受信部２０１は、移動機１００から接続先電話番号とともに通信事業者を示すキャリア情報を受信する。そして、識別部２０２は、受信された接続先電話番号に基づいて、当該接続先電話番号の属する通信キャリア事業者を識別する。問合せ部２０３または他網接続部２０４は、識別部２０２により識別された通信キャリア事業者に対してポートアウトの有無を問い合わせる。この問合せの結果に基づいてポートアウト判断部２０５が、接続先電話番号がポートアウトされているか否かを判断する。
【００９９】
ここでポートアウトされていないと判断した場合には、識別部２０２により識別された通信キャリア事業者を示すキャリア情報を、付加部２０７（または付加部２０７ａ）が応答信号に付加し、送信部２０８（または送信部２０８ａ）はこの応答信号を移動機１００に送信することができる。これにより、通信相手の最新のキャリア情報を発信元の移動機に通知することができ、移動機のユーザは更新されたキャリア情報を用いて通信相手にあった通信方式等を選択することができる。
【０１００】
この移動通信交換機２００のキャリア情報判断部２０６は、ポートアウトされていない場合であって、受信部２０１により受信されたキャリア情報により示される通信キャリア事業者と識別部２０２により識別された通信キャリア事業者とが一致しないと判断した場合には、付加部２０７が識別部２０２により識別された通信キャリア事業者を示すキャリア情報を応答信号に付加し、送信部２０８はその応答信号を移動機１００に送信することができる。すなわち、識別部２０２により識別された通信キャリア事業者を示すキャリア情報を発信元の移動機１００に送信することができ、通信相手の最新のキャリア情報を発信元の移動機１００に通知することができる。
【０１０１】
また、この移動通信交換機２００（または移動通信交換機２００ａ）の受信部２０１は、発信元の移動機１００から接続先電話番号とともに通信事業者を示すキャリア情報を受信し、受信された接続先電話番号に基づいて、識別部２０２は当該接続先電話番号の属する通信キャリア事業者を識別することができる。そして、識別部２０２により識別された通信キャリア事業者に対して、問合せ部２０３または他網接続部２０４がポートアウトの有無およびポートアウト先を問い合わせる。
【０１０２】
ここでポートアウト判断部２０５が、問合せ部２０３または他網接続部２０４による問合せ結果に基づいて、接続先電話番号がポートアウトされたと判断した場合には、問合せ部２０３または他網接続部２０４により取得されたポートアウト先を示すポートアウト先情報を、付加部２０７（または付加部２０７）が応答信号に付加し、その応答信号を送信部２０８（または送信部２０８ａ）が移動機１００に送信することができる。これにより、通信相手の最新のキャリア情報を発信元の移動機に通知することができ、移動機のユーザは更新されたキャリア情報を用いて通信相手にあった通信方式等を選択することができる。
【０１０３】
また、この移動通信交換機２００のキャリア情報判断部２０６は、ポートアウトされた場合であって、受信部２０１により受信されたキャリア情報により示される通信キャリア事業者と問合せ部２０３または他網接続部２０４により取得された通信キャリア事業者とが一致しないと判断した場合には、付加部２０７は取得された通信キャリア事業者を示すキャリア情報を応答信号に付加し、送信部２０８はその応答信号を移動機１００に送信することができ、通信相手の最新のキャリア情報を発信元の移動機１００に通知することができる。
【図面の簡単な説明】
【０１０４】
【図１】本実施形態における移動機１００および移動通信交換機２００を用いた通信システムを示すシステム構成図である。
【図２】移動機１００の機能を示すブロック図である。
【図３】移動機１００のハードウェア構成図である。
【図４】記憶部１０１に記憶されている情報を示す概要図である。
【図５】移動通信交換機２００の構成を示すブロック図である。
【図６】移動機１００および移動通信交換機２００の動作を示すシーケンス図である。
【図７】在圏情報記憶装置３０１の動作を示すフローチャートである。
【図８】他網交換機３０２の動作を示すフローチャートである。
【図９】移動通信交換機２００における、在圏情報記憶装置３０１から取得したキャリア情報を応答信号に付加するときの動作を示すフローチャートである。
【図１０】移動通信交換機２００における、他網交換機３０２から取得したキャリア情報を応答信号に付加するときの動作を示すフローチャートである。
【図１１】移動機１００のキャリア情報を更新するときの動作を示すフローチャートである。
【図１２】移動機１００の表示部１０３に表示される画面の具体例を示す図である。
【図１３】変形例である移動通信交換機２００ａのブロック図である。
【図１４】移動通信交換機２００ａにおけるキャリア情報を付加するときの動作を示すフローチャートである。
【図１５】変形例の移動機１００の動作を示すフローチャートである。
【図１６】他の変形例の移動機１００の動作を示すフローチャートである。
【符号の説明】
【０１０５】
１４…無線通信モジュール、１５…操作部、１６…ディスプレイ、１７…フラッシュメモリ、１００…移動機、１０１…記憶部、１０２…送信部、１０３…表示部、１０４…受信部、１０５…更新部、２００…移動通信交換機、２００ａ…移動通信交換機、２０１…受信部、２０２…識別部、２０３…問合せ部、２０４…他網接続部、２０５…ポートアウト判断部、２０６…キャリア情報判断部、２０７…付加部、２０７ａ…付加部、２０８…送信部、２０８ａ…送信部、３０１…在圏情報記憶装置、３０２…他網交換機。
【図１】
2008244850.tif 000003
【図２】
2008244850.tif 000004
【図３】
2008244850.tif 000005
【図４】
2008244850.tif 000006
【図５】
2008244850.tif 000007
【図６】
2008244850.tif 000008
【図７】
2008244850.tif 000009
【図８】
2008244850.tif 000010
【図９】
2008244850.tif 000011
【図１０】
2008244850.tif 000012
【図１１】
2008244850.tif 000013
【図１２】
2008244850.tif 000014
【図１３】
2008244850.tif 000015
【図１４】
2008244850.tif 000016
【図１５】
2008244850.tif 000017
【図１６】
2008244850.tif 000018